(57)【要約】【課題】側溝の距離、設置角度に応じて、現場で実際の施工状態に合わせて設置することができ、工期を大幅に短縮することができる内型枠を提供する。【解決手段】内型枠１は、一方の側溝１００の開口部１０１に取り付けられる第１内型枠１０と、他方の側溝２００の開口部２０１に取り付けられる第２内型枠２０と、第１内型枠１０と第２内型枠２０とにより上部に開口形成される開口部を閉じる天板３０と、を備えている。側溝１００及び側溝２００の開口部の距離、開口部がなす角度に応じて、第１外側固定板１４及び第２外側固定板２４をそれぞれ延長して、第１外側延長板１５及び第２外側延長板２５の先端を突き合わせ、同様に、第１内側固定板１２及び第２内側固定板２２をそれぞれ延長して、第２外側延長１３及び第２内側固定板２３の先端を突き合わせた状態で固定し、屈曲部Ｋの内側面を形成する。【選択図】図１
2018009363.tif 000002
【特許請求の範囲】
【請求項１】
屈曲部を有するコンクリート製の曲がり側溝を製造するための内型枠であって、
第１の側溝の開口部に取り付けられる第１内型枠と、第２の側溝の開口部に取り付けられる第２内型枠と、第１内型枠と第２内型枠とにより上部に開口形成される開口部を閉じる天板と、からなり、
前記第１内型枠は、
前記第１の側溝の開口部を囲むように取り付けられる第１取付枠部と、
屈曲部の内側の側面を形成するために、前記第１取付枠部から前記第１の側溝の延長方向であって、前記第２の側溝に向かって延設される第１内側固定板と、
屈曲部の外側の側面を形成するために、前記第１取付枠部から前記第１の側溝の延長方向であって、前記第２の側溝に向かって延設される第１外側固定板と、
前記第１内側固定板を前記第１の側溝の延長方向に向かって延長する第１内側延長板と、
前記第１外側固定板を前記第１の側溝の延長方向に向かって延長する第１外側延長板と、
を備え、
前記第２内型枠は、
前記第２の側溝の開口部を囲むように取り付けられる第２取付枠部と、
屈曲部の内側の側面を形成するために、前記第２取付枠部から前記第２の側溝の延長方向であって、前記第１の側溝に向かって延設される第１内側固定板と、
屈曲部の外側の側面を形成するために、前記第２取付枠部から前記第２の側溝の延長方向であって、前記第２の側溝に向かって延設される第１外側固定板と、
前記第２内側固定板を前記第２の側溝の延長方向に向かって延長する第２内側延長板と、
前記第２外側固定板を前記第２の側溝の延長方向に向かって延長する第２外側延長板と、
を備えている、
ことを特徴とする内型枠。
【請求項２】
前記第１外側延長板と前記第２外側延長板とを突き合わせて固定したときに、突き合わせ部の動きを制限する外側制限部材を、前記第１外側延長板及び前記第２外側延長板のいずれか一方に備えたことを特徴とする請求項１に記載の内型枠。
【請求項３】
前記第１内側延長板と前記第２内側延長板とを突き合わせて固定したときに、突き合わせ部の動きを制限する内側制限部材を、前記第１内側延長板及び前記第２内側延長板とのいずれか一方に備えたことを特徴とする請求項１または請求項２に記載の内型枠。
【請求項４】
前記第１外側延長板の先端部と前記第２外側延長板の先端部とを接続して屈曲部を形成する接続板を更に備えたことを特徴とする請求項１ないし請求項３のいずれか１つに記載の内型枠。
【発明の詳細な説明】
【技術分野】
【０００１】
本発明は、屈曲部を有するコンクリート製の曲がり側溝を製造するために使用する内型枠に関する。
【背景技術】
【０００２】
可変側溝などのコンクリート製の側溝を敷設する際に、異なる方向から延設される側溝を接続するために、流路の方向に応じて屈曲部を設けて、方向を転換することが行われている。ここで、屈曲部の形状は一定ではなく、側溝を敷設する際、直線部においても施行図面に対してある程度の誤差が生じるため、屈曲部を有する側溝を作製しても現場で敷設できないおそれがあるので、通常、型組みとコンクリート打ちにより屈曲部を形成している。屈曲部の形成のための型組みには、屈曲部の外周を形作るための外型枠と、屈曲部の内周面を形作るための内型枠と、を用いる。ここで、内型枠は側溝の内部に形成するため、現場で組む場合には高度な技能が要求される。そこで、側溝同士を接続するための屈曲部を有する内形枠をあらかじめ作製しておき、その内型枠により側溝を接続する施行工法も採用されている。
【先行技術文献】
【特許文献】
【０００３】
【特許文献１】特公平７−２０６１３号公報
【発明の概要】
【発明が解決しようとする課題】
【０００４】
しかし、上記施工方法では、接続する側溝の位置関係を実際に現場で測定してから内型枠を製造するため、製造する間、工事を中断する必要があり、工期が長くなる一因となっていた。現場での合わせ込みを行うための型枠として、例えば特許文献１には、構成部材を回動可能に構成し、曲がり角度が可変の曲がり側溝を製造するための型枠が開示されている。しかし、特許文献１に記載の型枠は、角度は可変であるが、側溝間の距離が施行図面と大きく異なった場合に、その差を吸収しうるものではない。
【０００５】
そこで、本発明では、側溝の距離、設置角度に応じて、現場で実際の施工状態に合わせて設置することができ、工期を大幅に短縮することができる内型枠を提供することを目的とする。
【課題を解決するための手段】
【０００６】
上記課題を解決するために、請求項１に記載の発明では、屈曲部を有するコンクリート製の曲がり側溝を製造するための内型枠であって、第１の側溝の開口部に取り付けられる第１内型枠と、第２の側溝の開口部に取り付けられる第２内型枠と、第１内型枠と第２内型枠とにより上部に開口形成される開口部を閉じる天板と、からなり、前記第１内型枠は、前記第１の側溝の開口部を囲むように取り付けられる第１取付枠部と、屈曲部の内側の側面を形成するために、前記第１取付枠部から前記第１の側溝の延長方向であって、前記第２の側溝に向かって延設される第１内側固定板と、屈曲部の外側の側面を形成するために、前記第１取付枠部から前記第１の側溝の延長方向であって、前記第２の側溝に向かって延設される第１外側固定板と、前記第１内側固定板を前記第１の側溝の延長方向に向かって延長する第１内側延長板と、前記第１外側固定板を前記第１の側溝の延長方向に向かって延長する第１外側延長板と、を備え、前記第２内型枠は、前記第２の側溝の開口部を囲むように取り付けられる第２取付枠部と、屈曲部の内側の側面を形成するために、前記第２取付枠部から前記第２の側溝の延長方向であって、前記第１の側溝に向かって延設される第１内側固定板と、屈曲部の外側の側面を形成するために、前記第２取付枠部から前記第２の側溝の延長方向であって、前記第２の側溝に向かって延設される第１外側固定板と、前記第２内側固定板を前記第２の側溝の延長方向に向かって延長する第２内側延長板と、前記第２外側固定板を前記第２の側溝の延長方向に向かって延長する第２外側延長板と、を備えている、という技術的手段を用いる。
【０００７】
請求項１に記載の発明によれば、第１の側溝及び第２の側溝の開口部の距離、第１の側溝及び第２の側溝の開口部がなす角度に応じて、各部材を適宜設定することにより、第１の側溝及び第２の側溝を接続することができる。これにより、施工図面の段階で内型枠を製造し、現場で実際の施工状態に合わせて設置することができるので、工期を大幅に短縮することができる。
【０００８】
請求項２に記載の発明では、請求項１に記載の内型枠において、前記第１外側延長板と前記第２外側延長板とを突き合わせて固定したときに、突き合わせ部の動きを制限する外側制限部材を、前記第１外側延長板及び前記第２外側延長板のいずれか一方に備えた、という技術的手段を用いる。
【０００９】
請求項３に記載の発明では、請求項１または請求項２に記載の内型枠において、前記第１内側延長板と前記第２内側延長板とを突き合わせて固定したときに、突き合わせ部の動きを制限する内側制限部材を、前記第１内側延長板及び前記第２内側延長板とのいずれか一方に備えた、という技術的手段を用いる。
【００１０】
請求項２に記載の発明によれば、第１外側延長板及び第２外側延長板は外側制限部材により移動が制限されているため、コンクリートの圧力が外側から負荷されても内型枠の形状が崩れることがない。同様に、請求項３に記載の発明によれば、第１内側延長板及び第２内側延長板は内側制限部材により移動が制限されているため、コンクリートの圧力が外側から負荷されても内型枠の形状が崩れることがない。
【００１１】
請求項４に記載の発明では、請求項１ないし請求項３のいずれか１つに記載の内型枠において、前記第１外側延長板の先端部と前記第２外側延長板の先端部とを接続して屈曲部を形成する接続板を更に備えた、という技術的手段を用いる。
【００１２】
請求項４に記載の発明によれば、接続板により第１外側延長板の先端部と第２外側延長板の先端部とを接続して、外側面で２箇所の屈曲を有する屈曲部を形成する屈曲部を形成することができる。
【図面の簡単な説明】
【００１３】
【図１】内型枠を上方から見た平面説明図である。
【図２】内型枠を図１のＡ方向から見た平面説明図である。
【図３】内型枠を図１のＢ方向から見た平面説明図である。
【図４】内型枠の使用方法を説明する説明図である。
【図５】内型枠の使用方法を説明する説明図である。
【図６】第１外側延長板及び第２外側延長板の先端の突合せ工程を示す説明図である。
【図７】外側制限部材の作用・効果を説明する模式図である。
【図８】内型枠の変更例を示す平面説明図である。
【発明を実施するための形態】
【００１４】
本発明の内型枠１について、図を参照して説明する。ここで、図１−３では、内型枠１を設置し、側溝１００と側溝２００とを接続したときの状態を示し、側溝１００、側溝２００及び側溝１００と側溝２００とを接続する屈曲部Ｋ（図１）を併せて示す。
【００１５】
本発明の内型枠１は、屈曲部を有するコンクリート製の曲がり側溝を製造するための内型枠であって、一方の側溝１００の開口部１０１に取り付けられる第１内型枠１０と、他方の側溝２００の開口部２０１に取り付けられる第２内型枠２０と、第１内型枠１０と第２内型枠２０とにより上部に開口形成される開口部を閉じる天板３０と、を備えている。ここで、第１内型枠１０と第２内型枠２０とは、基本構造は同じであるので、第１内型枠１０を中心に説明する。
【００１６】
第１取付枠部１１は、側溝１００の開口部１０１を囲むように取付可能な枠状の部材であり、第１側溝取付部１１ａと、第１内側固定板１２を側溝１００の流路１０２に沿って取り付ける第１内側固定板取付部１１ｂと、第１外側固定板１４を側溝１００の流路１０２に沿って取り付ける第１外側固定板取付部１１ｃと、天板３０を載置し、固定するための第１天板載置部１１ｄと、を備えている。
【００１７】
第１内側固定板１２は、屈曲部Ｋの内側の内側面を形成するために高さ方向に設けられる板状部材である。第１内側固定板１２には、主部１２ａと、第１内側固定板１２を第１取付枠部１１に固定したときに側溝１００の流路１０２に内接して位置決めを行う位置決め部１２ｂと、が形成されている。第１内側固定板１２は、第１取付枠部１１に、側溝１００の延長方向であって、側溝２００に向って延設するように第１取付枠部１１に取り付けられる。
【００１８】
主部１２ａは、高さが側溝１００の流路１０２の高さと略同一になるように形成されている。
【００１９】
位置決め部１２ｂは、主部１２ａを第１取付枠部１１に固定する位置より側溝１００側に設けられており、流路１０２に挿入可能に形成されている。
【００２０】
第１内側延長板１３は、第１内側固定板１２を側溝１００の流路１０２の延長方向に向かって延長するための板状部材である。第１内側延長板１３は、主部１３ａに水平方向に形成された長孔１３ｂが形成されている。長孔１３ｂは高さ方向の複数箇所に長手方向が平行になるように設けられている。第１内側延長板１３は、第１内側固定板１２に対して位置決めをした後に長孔１３ｂに挿通したボルトなどの固定手段１６により第１内側固定板１２に固定することができる。固定手段１６に対して第１内側固定板１２をスライドさせることにより、第１内側固定板１２を側溝１００の流路１０２の延長方向に延長させることができる。
【００２１】
第１外側固定板１４は、屈曲部Ｋの外側の内側面を形成するために高さ方向に設けられる板状部材であり、第１内側固定板１２と対向する位置に設けられており、第１内側固定板１２と同様に、主部１４ａと位置決め部１４ｂと、が形成されている。
【００２２】
第１外側延長板１５は、第１外側固定板１４を側溝１００の流路１０２の延長方向に向かって延長するための板状部材である。第１外側延長板１５は、第１内側延長板１３と同様に、主部１５ａに長孔１５ｂが形成されている。第１外側延長板１５は、第１外側固定板１４に対して位置決めをした後にボルトなどの固定手段１７により第１外側固定板１４に固定することができる。これにより、第１外側固定板１４を側溝１００の流路１０２の延長方向に延長させることができる。
【００２３】
屈曲部Ｋは外側の方が内側よりも側壁の長さが長いので、本実施形態では、第１外側固定板１４の長さは、第１内側固定板１２より長くなるように設定している。
【００２４】
第２内型枠２０は、第１内型枠１０と基本構造は同じであり、第２取付枠部２１は第１取付枠部１１に、第２側溝取付部２１ａは第１側溝取付部１１ａに、第２内側固定板取付部２１ｂは第１内側固定板取付部１１ｂに、第２外側固定板取付部２１ｃは第１外側固定板取付部１１ｃに、天板載置部２１ｄは天板載置部１１ｄに、それぞれ対応する。
【００２５】
第２内側固定板２２は第１内側固定板１２に、主部２２ａは主部１２ａに、位置決め部２２ｂは位置決め部１２ｂに、それぞれ対応する。
【００２６】
第２内側延長板２３は第１内側延長板１３に、主部２３ａは主部１３ａに、長孔２３ｂは長孔１３ｂに、それぞれ対応する。
【００２７】
第２外側固定板２４は第１外側固定板１４に、主部２４ａは主部１４ａに、位置決め部２４ｂは位置決め部１４ｂに、それぞれ対応する。
【００２８】
第２外側延長板２５は第１外側延長板１５に、主部２５ａは主部１５ａに、長孔２５ｂは長孔１５ｂに、それぞれ対応する。固定手段２６、２７は固定手段１６、１７にそれぞれ対応する。
【００２９】
天板３０は、第１内型枠１０と第２内型枠２０とにより上部に開口形成される屈曲した開口部を閉じるための板状部材である。天板３０は、鋼板等からなり、開口部の形状に合わせて、現場で加工することもできる。
【００３０】
本実施形態の内型枠１は、第１外側延長板１５と第２外側延長板２５とを突き合わせて固定したときに、突き合わせ部の動きを制限する外側制限部材４０と、第１内側延長板１３と第２内側延長板２３とを突き合わせて固定したときに、突き合わせ部の動きを制限する内側制限部材５０を、それぞれ備えている。
【００３１】
外側制限部材４０は、第１外側延長板１５及び第２外側延長板２５のいずれか一方に設けられる。本実施形態では、外側制限部材４０は第１外側延長板１５に設けられる高さ方向に延びる棒状の部材である。外側制限部材４０は第１外側延長板１５の先端部から少し側溝１００側に離れた屈曲部Ｋの内側方向の面に設けられている。
【００３２】
内側制限部材５０は、第１内側延長板１３及び第２内側延長板２３のいずれか一方に設けられる。本実施形態では、内側制限部材５０は第１内側延長板１３に設けられる高さ方向に延びる棒状の部材である。内側制限部材５０は第１内側延長板１３の先端部から少し側溝１００側に離れた屈曲部Ｋの内側方向の面に設けられている。
【００３３】
次に、内型枠１の使用方法を、図４−７を参照して説明する。
【００３４】
図４（Ａ）に示すように、地面の面出しが行われ斜めに対向して配置された側溝１００と側溝２００とを連結する場合について説明する。ここで、図の手前側が屈曲部Ｋの外側、奥が屈曲部Ｋの内側となる。
【００３５】
図４（Ｂ）に示すように、第１取付枠部１１に第１内側固定板１２及び第１外側固定板１４が固定された状態の第１内型枠１０を用意し、図４（Ｃ）に示すように第１取付枠部１１が開口部１０１を囲むように、第１内型枠１０を側溝１００に取り付ける。
【００３６】
ここで、第１外側固定板１４の位置決め部１４ｂ及び第１内側固定板１２の位置決め部１２ｂが側溝１００の流路１０２に内接し、位置決めすることができる。また、第１外側固定板１４の位置決め部１４ｂと第１内側固定板１２の位置決め部１２ｂとの間にスペーサーを介在させて、位置決め部１４ｂ及び位置決め部１２ｂを側溝１００の流路１０２に押圧して第１内型枠１０を側溝１００に取り付けることもできる。
【００３７】
ここで、図４（Ｂ）、（Ｃ）では、第１内側固定板１２及び第１外側固定板１４が固定された状態で、第１内型枠１０を側溝１００に取り付けたが、各部材を順次組み付けて行くこともできる。例えば、先に第１取付枠部１１のみを側溝１００に固定した後に、第１内側固定板１２及び第１外側固定板１４を組み付けていくこともできる。
【００３８】
続いて、図５（Ｄ）に示すように、第２取付枠部２１に第２内側固定板２２及び第２外側固定板２４が固定された状態の第２内型枠２０を用意し、同様に第２取付枠部２１により第２内型枠２０を側溝２００に取り付ける。
【００３９】
ここまでの工程では、第１外側固定板１４及び第２外側固定板２４、第１内側固定板１２及び第２内側固定板２２は、それぞれ離間している。屈曲部Ｋの流路を構成するためには、各部材を延長して、離間した領域を連結する必要がある。
【００４０】
続いて、長孔１５ｂに固定手段１７を挿通して第１外側延長板１５を第１外側固定板１４に対して水平方向にスライド可能に取り付ける。同様に、第２外側延長板２５を第２外側固定板２４に対して水平方向にスライド可能に取り付ける。第１外側延長板１５及び第２外側延長板２５をそれぞれスライドさせて位置を調整することにより、第１外側延長板１５及び第２外側延長板２５のそれぞれの先端を突き合わせることができる。そして、図５（Ｅ）に示すように、第１外側固定板１４及び第２外側固定板２４をそれぞれ延長して、第１外側延長板１５及び第２外側延長板２５の先端を突き合わせ、同様に、第１内側固定板１２及び第２内側固定板２２をそれぞれ延長して、第２外側延長板１３及び第２内側延長板２３の先端を突き合わせた状態で、固定手段１６、１７、２６、２７により各延長板を各固定板に固定する。
【００４１】
第１外側延長板１５及び第２外側延長板２５の先端の突合せは以下のように行う。図６に示すように、第１外側固定板１４の延長線と第２外側固定板２４の延長線との交点Ｘを求め、この交点Ｘまで第１外側固定板１４を第１外側延長板１５により延長して長さＬ１（外）とし、第２外側固定板２４を第２外側延長板２５により延長して長さＬ２（外）とする。これにより、第１外側固定板１４及び第２外側固定板２４の離間した領域をなくすことができるので、屈曲部Ｋの外側の内側面を形成することができる。同様に、第１内固定板１２の延長線と第２内側固定板２２の延長線との交点Ｙを求め、交点Ｙまで第１内側固定板１２を第１内側延長板１３により延長して長さＬ１（内）とし、第２内側固定板２２を第２内側延長板２３により延長して長さＬ２（内）とする。これにより、第１内側固定板１２及び第２内側固定板２２の離間した領域をなくすことができるので、屈曲部Ｋの内側の内側面を形成することができる。
【００４２】
ここで、側溝１００及び側溝２００の開口部の距離ｄ、側溝１００及び側溝２００の開口部がなす角度θに応じて、Ｌ１（外）、Ｌ２（外）、Ｌ１（内）及びＬ２（内）を適宜設定することにより、側溝１００及び側溝２００を接続することができる。つまり、従来の施工方法では、側溝１００及び側溝２００が設置されてから実寸を測定し、内型枠を製造する必要があったが、本発明の内型枠１を用いると、施工図面の段階で内型枠１を製造し、現場で実際の施工状態に合わせて設置することができるので、工期を大幅に短縮することができる。
【００４３】
図７に第１外側延長板１５及び第２外側延長板２５の先端を突合せた状態を示す。第２外側延長板２５の先端は、第１外側延長板１５の先端と外側制限部材４０との間に位置している。この状態で、第１外側延長板１５及び第２外側延長板２５を固定すると、第２外側延長板２５の先端が外側制限部材４０に係止される。内側制限部材５０においても同様である。ここで、側溝１００と側溝２００とのなす角度が大きい場合等には、図中において第２外側延長板２５の先端を外側制限部材４０の左側に配置し、係止することもできる。
【００４４】
続いて、図５（Ｆ）に示すように、上方に形成された開口部の形状に合わせて加工した天板３０を天板載置部１１ｄ、天板載置部２１ｄ上に開口部を閉じるように載置し、固定する。
【００４５】
上記工程を経て、屈曲部Ｋの空間（流路）が形成される。そして、外型枠を形成し、側溝１００の流路１０２及び側溝２００の流路２０２内に所定の傾斜などを形成した後に、内型枠１の周りをコンクリートで覆うことにより、側溝１００と側溝２００とを接続することができる。ここで、第１外側延長板１５及び第２外側延長板２５は外側制限部材４０により移動が制限されているため、コンクリートの圧力が外側から負荷されても内型枠１の形状が崩れることがない。内側制限部材５０においても同様である。
【００４６】
（実施形態の効果）
従来の施工方法では、側溝１００及び側溝２００が設置されてから実寸を測定し、内型枠を製造する必要があったが、本発明の内型枠１を用いると、施工図面の段階で内型枠１を製造し、現場で実際の施工状態に合わせて設置することができるので、工期を大幅に短縮することができる。特に、可変側溝などの残存内型枠として好適に用いることができる。
【００４７】
（変更例）
ここで、本実施形態では、屈曲部Ｋの内側を形成するための第１内側固定板１２及び第２内側固定板２２をそれぞれ第１外側固定板１４及び第２外側固定板１４より短く形成したが、図１の状態が形成できるならこれに限定されるものではなく、例えば、同じ長さに形成することもできる。
【００４８】
溶接などの方法により第１外側延長板１５及び第２外側延長板２５の先端を突合せた後に固定することができるならば、外側制限部材４０を備えていない構成を採用することもできる。内側制限部材５０においても同様である。
【００４９】
側溝１００と側溝２００とのなす角度が大きい場合等、屈曲部Ｋが土地の境界を越えたり、流路の幅が大きくならないようにしたりするために、屈曲部Ｋの外周面を２回の屈曲により形成する場合がある。このような場合には、第１外側延長板１５の先端部と第２外側延長板２５の先端部とを接続して屈曲部を形成する接続板を更に備えた構成とすることができる。図８に示すように、接続板６０は、相互にスライドし、長さの調整が可能に構成された２枚の板状部材６１、６２からなる。接続板６０の長さを調整し、第１外側延長板１５の先端部と第２外側延長板２５の先端部とを接続、固定することにより、２回の屈曲がなされた屈曲部Ｋを形成することができる。このとき、外側制限部材４０を、第１外側延長板１５及び第２外側延長板２５の両方に設けてもよい。
【００５０】
側溝１００を例えば水槽などの終点となる部材に接続する場合には、第１内型枠１０のみを用いて側溝１００と水槽等を接続することもできる。
【符号の説明】
【００５１】
１…内型枠
１０…第１内型枠
１１…第１取付枠部
１１ａ…第１側溝取付部
１１ｂ…第１内側固定板取付部
１１ｃ…第１外側固定板取付部
１１ｄ…第１天板載置部
１２…第１内側固定板
１２ａ…主部
１２ｂ…位置決め部
１３…第１内側延長板
１３ａ…主部
１３ｂ…長孔
１４…第１外側固定板
１４ａ…主部
１４ｂ…位置決め部
１５…第１外側延長板
１５ａ…主部
１５ｂ…長孔
１６…固定手段
１７…固定手段
２０…第２内型枠
２１…第２取付枠部
２１ａ…第２側溝取付部
２１ｂ…第２内側固定板取付部
２１ｃ…第２外側固定板取付部
２１ｄ…第２天板載置部
２２…第２内側固定板
２２ａ…主部
２２ｂ…位置決め部
２３…第２内側延長板
２３ａ…主部
２３ｂ…長孔
２４…第２外側固定板
２４ａ…主部
２４ｂ…位置決め部
２５…第２外側延長板
２５ａ…主部
２５ｂ…長孔
２６…固定手段
２７…固定手段
３０…天板
４０…外側制限部材
５０…内側制限部材
１００…側溝
１０１…開口部
１０２…流路
２００…側溝
２０１…開口部
２０２…流路
【図１】
2018009363.tif 000003
【図２】
2018009363.tif 000004
【図３】
2018009363.tif 000005
【図４】
2018009363.tif 000006
【図５】
2018009363.tif 000007
【図６】
2018009363.tif 000008
【図７】
2018009363.tif 000009
【図８】
2018009363.tif 000010